(57)【要約】【課題】  組み立てが容易で、高い受信感度が得られ、安価に製造できる小型・薄型の３軸アンテナを提供することを目的とする。【解決手段】  胴部と、その厚み方向の一端側にあって前記胴部と一体の鍔部を有する片鍔磁心と、前記胴部の他端側に配置される、樹脂部に保持された複数の端子を備えた薄板状のベース部材とを組み合わせてなり、胴部の一端側とベース部材とに当接し挟み込む第１アンテナコイル及び第２アンテナコイルと、胴部を内包する第３アンテナコイルとを具備し、それぞれのアンテナコイルは巻軸方向が異なるとともに前記端子と接続されるものである３軸アンテナ。【選択図】  図１
2015220512.tif 000002
【特許請求の範囲】
【請求項１】
胴部と、その厚み方向の一端側にあって前記胴部と一体の鍔部を有する片鍔磁心と、前記胴部の他端側に配置される、樹脂部に保持された複数の端子を備えた薄板状のベース部材とを組み合わせてなり、胴部の一端側とベース部材とに当接し挟み込む第１アンテナコイル及び第２アンテナコイルと、胴部を内包する第３アンテナコイルとを具備し、それぞれのアンテナコイルは巻軸方向が異なるとともに前記端子と接続されるものであることを特徴とする３軸アンテナ。
【請求項２】
請求項１に記載の３軸アンテナにおいて、
片鍔磁心の鍔部とベース部材は、前記厚み方向に見て、前記片鍔磁心の胴部の外周に張り出し、前記ベース部材の前記片鍔磁心の鍔部よりも外周に張り出した部分に前記端子を備えたとを特徴とする３軸アンテナ。
【請求項３】
請求項２に記載の３軸アンテナにおいて、
前記片鍔磁心は、胴部の厚み方向に鍔部及びベース部材まで至る四つの第１溝部と、前記鍔部側に前記第１溝部の内の対向する二つと連なる第２溝部を有し、
前記ベース部材は、前記片鍔磁心の第２溝部と対向する第３溝部を有し、
第１アンテナコイルが、前記第１溝部と前記第２溝部と前記第３溝部を含む第１巻部に巻回され、
第２アンテナコイルが、前記組立体の残りの第１溝部を含む第２巻部に、前記第１アンテナコイルと前記片鍔磁心の両端側で交差して巻回され、
第３アンテナコイルが、前記片鍔磁心の胴部を含む第３巻部に巻回されたことを特徴とする３軸アンテナ。
【請求項４】
請求項２又は３に記載の３軸アンテナであって、
第１アンテナコイルと第２アンテナコイルと第３アンテナコイルは、互いに当接することなく配置されたことを特徴とする３軸アンテナ。
【請求項５】
請求項１乃至４のいずれかに記載の３軸アンテナであって、
前記片鍔磁心は胴部の他端側に凸部を有し、
前記ベース部材は、前記凸部を受ける開口部を有することを特徴とする３軸アンテナ。
【請求項６】
請求項１乃至５のいずれかに記載の３軸アンテナであって、
前記第１アンテナコイル、第２アンテナコイル、第３アンテナコイルと、前記ベース部材とが、前記組立体の端子を除き絶縁樹脂で封止されたことを特徴とする３軸アンテナ。
【請求項７】
請求項１乃至６のいずれかに記載の３軸アンテナであって、
前記第３アンテナコイルの自己インダクタンスが、前記１アンテナコイル及び前記第２アンテナコイルよりも大きいことを特徴とする３軸アンテナ。
【発明の詳細な説明】
【技術分野】
【０００１】
本発明は、キーレスシステムの為の電子キーに用いられるアンテナに関し、特には車両用のドアキーやエンジンスタートキー、あるいは住宅用のドアキーといった電子キーに用いられる３軸アンテナに関する。
【背景技術】
【０００２】
自動車や住宅等のドアの開閉、エンジンの始動において、固有の電子キーに応じて、住宅や車両ドアのロック及びアンロックを制御するキーレスシステム（電子キーシステムとも呼ばれる）が知られている。
例えば、ドア用電子キーの場合、電子キー側とキー装置側との間の双方向の無線通信によって、人が携帯する認証用電子キーは、ドアのキー装置からの低周波数のリクエスト信号を受信して応答信号を送信する。応答信号を受信したドアのキー装置は、身分証明の認証を行い、認証に成功した後、ドアノブの開動作を検出するなどしてドアロックを解除する。
【０００３】
キー装置や電子キーのアンテナは、主にソフトフェライトやアモルファス等の軟磁性材料からなる磁心に、適宜絶縁処理を施して巻線を敷設することで構成されたアンテナコイルを有し、前記アンテナコイルとコンデンサとによる並列共振回路を、所定の周波数で共振するように構成されている。
【０００４】
キー装置と電子キーとの間の双方向通信において、一方のアンテナコイルの軸方向と、他方のアンテナコイルから発生される磁界方向の位置関係において、通信距離が極端に短く、あるいは通信できない通信方向があるという問題がある。そのため、三次元方向の電磁波を全て効率よく検出できて良好な通信が得られる様に、認証用電子キーには、Ｘ軸アンテナ、Ｙ軸アンテナ、及びＺ軸アンテナを組み合わせた無指向性の３軸アンテナが使用される。認証用電子キー自体が小型であることから、それに用いられる３軸アンテナもまた小型化が強く求められる。しかし、３軸アンテナは、アンテナを複数用いる構成のため、ひとつのアンテナで構成される１軸アンテナと比べて大型となり易い。そこで、ひとつの磁心にＸ軸、Ｙ軸、Ｚ軸の３つのアンテナコイルを配置する構成の３軸アンテナが用いられるようになった。
【０００５】
このような３軸アンテナの構成を図を用いて説明する。例えば、特許文献１には３軸アンテナの基本的な構成例が示されている。図２２はアンテナの一実施態様を説明する為の斜視図である。図２３はアンテナコイルが敷設される磁心の外観を示す斜視図であり、図２４はアンテナの他の実施態様を説明する為の斜視図である。
【０００６】
３軸アンテナ３００は、複数の溝が形成された扁平状のフェライトコアでなる磁心３２０とアンテナコイル３１０〜３１２を有している。磁心３２０は、フェライトコアの側面を凹ませた胴部３０１と、その両端側に位置する対の鍔部３０２を有し、前記鍔部３０２を４つに分けるように複数の溝部３０５が設けられている。以下、胴部の両端側に鍔部を有する磁心について両鍔磁心と呼ぶ。
【０００７】
磁心３２０の溝部３０５と鍔部間の胴部３０１に、３つのアンテナコイルをその巻軸方向が互いに直交するように巻回し、もってＸ軸アンテナコイル、Ｙ軸アンテナコイル、及びＺ軸アンテナコイルとなるアンテナコイル３１０、３１１、３１２を備えた３軸アンテナとしている。更に図２４に示した３軸アンテナでは、外部接続端子３４０が形成されたケース３３０に収めて、回路基板等へ面実装可能としている。
【０００８】
特許文献２に開示された他の態様の３軸アンテナを説明する。その構造を図２５及び図２６に示す。図２５は３軸アンテナの外観を示す斜視図である。図２６は３軸アンテナに用いる組立体の分解斜視図である。３軸アンテナ４０１は、２つのフェライトコアからなる部材４２０、４５０を組み合わせた両鍔磁心を用い、実装の為の外部接続端子４３１を設けたベース部材４３０を、前記両鍔磁心の鍔部間に配置した組立体を用いる。両鍔磁心を構成する第１部材４２０は、胴部とその一端側に鍔部を備えた片鍔磁心であり、第２部材４５０は他方の鍔部を形成する板状磁心である。第１部材４２０と第２部材４５０とを組み合わせると、特許文献１の両鍔磁心と略同じ形態となる。組立体には、Ｘ軸アンテナコイル、Ｙ軸アンテナコイル、及びＺ軸アンテナコイルとなるアンテナコイル４１０、４１１、４１２が巻回され、更に、図示しないが、外部接続端子４３１を残して樹脂モールドして構成される。
【先行技術文献】
【特許文献】
【０００９】
【特許文献１】特開２００３−９２５０９号公報
【特許文献２】国際公開第２０１／１２９３４７号公報
【発明の開示】
【発明が解決しようとする課題】
【００１０】
特許文献１の３軸アンテナは、両鍔磁心に複数の溝部を有する複雑な形状であるために、磁心の製造において一般的な圧縮成形により製造するのが難しい。その為、加工したり、射出成型等のニアネットシェイプ成形法を用いたりすることが必要となる。切削加工や射出成形の採用は製造コストを上げてしまい、３軸アンテナを安価に提供するのが難しくなる。また両鍔磁心の各溝部に順次アンテナコイルを敷設するが、巻軸が異なる為に、アンテナコイルを巻回した後、他のアンテナコイルを巻線する際に、既に形成されたアンテナコイルの末端を仮固定してコイルの緩み止めや巻き込み防止の手段を施すことが必要であって、煩雑であるとともに工数も増す。
【００１１】
また面実装可能とするには、外部接続端子３４０が形成されたケース３３０に３軸アンテナを収容することが提案されている。各アンテナコイル３１０、３１１、３１２と外部接続端子３４０との接続には、ケース内側に設けられ外部接続端子３４０と繋がった端末接続部である板状端子（図示せず）に、各アンテナコイル３１０、３１１、３１２の末端を絡げることが必要となる。板状端子は、ケース３３０の内側に位置するので、アンテナが小型になる程に接続作業のスペースが少なくなって作業が困難となり、アンテナコイルと端子との接続信頼性が得られ難く、接続作業には工数と熟練が必要となる。また接続の作業性を考慮すればケース３３０を大型化して接続作業のスペースを確保すれば良いが、その分、３軸アンテナの大型化を招いてしまう問題がある。
【００１２】
特許文献２では特許文献１のようなケースでは無く、平板状のベース部材４３０を用いる。この様な構成によれば、接続作業を妨げる壁部が無く、アンテナコイルの末端と外部接続端子との接続作業性は向上される。また、両鍔磁心を２つの部材４２０、４５０で構成することで、圧縮成形により得られ易いものとなっている。また、得られた３軸アンテナは、樹脂モールドによって耐候性に優れたものとなる。
【００１３】
しかしながら、複数の部材を用いることは、単純には製造工数が増加してコストの増加を招く。また、第１部材４２０と比べて薄く形成される板状磁心の第２部材４５０には、アンテナコイル４１０を収める溝が形成されるため、強度の確保、変形防止のため、一定以上の厚みが必要であって、第１部材４２０と第２部材４５０で構成する両鍔磁心を更に薄型として、３軸アンテナを薄型化するには限界がある。第２部材４５０が反ると、第１部材との間にエアギャップが生じて受信感度を劣化させる場合がある。また、両鍔磁心を構成する第１部材４２０と第２部材４５０との間にベース部材４３０を設けるため、その厚みの分、アンテナコイル４１２を設ける巻幅が減少し巻線が難しくなる。
【００１４】
そこで本発明では、小型・薄型を維持しつつ、組み立てが容易で、高い受信感度が得られ、安価に製造できる３軸アンテナを提供することを目的とする。
【課題を解決するための手段】
【００１５】
本発明は、胴部と、その厚み方向の一端側にあって一体の鍔部を有する片鍔磁心と、前記胴部の他端側に配置される、樹脂部に保持された複数の端子を備えた薄板状のベース部材とを組み合わせてなり、胴部の一端側とベース部材と当接し挟み込む第１アンテナコイルと第２アンテナコイルと、胴部を内包する第３アンテナコイルとを具備し、それぞれのアンテナコイルは巻軸方向が異なるとともに前記端子と接続されるものであることを特徴とする３軸アンテナである。
【００１６】
本発明の３軸アンテナにおいては、片鍔磁心の鍔部とベース部材は、前記厚み方向に見て、前記片鍔磁心の胴部の外周に張り出し、前記ベース部材の前記片鍔磁心の鍔部よりも外周に張り出した部分に前記端子を備えるのが好ましい。
【００１７】
更に、前記片鍔磁心は、胴部の厚み方向に鍔部及びベース部材まで至る四つの第１溝部と、前記鍔部側に前記第１溝部の内の対向する二つと連なる第２溝部を有し、前記ベース部材は、前記片鍔磁心の第２溝部と対向する第３溝部を有し、第１アンテナコイルが、前記第１溝部と前記第２溝部と前記第３溝部を含む第１巻部に巻回され、第２アンテナコイルが、前記組立体の残りの第１溝部を含む第２巻部に、前記第１アンテナコイルと前記片鍔磁心の両端側で交差して巻回され、第３アンテナコイルが、前記片鍔磁心の胴部を含む第３巻部に巻回されるのが好ましい。
【００１８】
本発明においては、第１アンテナコイルと第２アンテナコイルと第３アンテナコイルは、互いに当接することなく配置されるのが好ましい。
【００１９】
本発明においては、前記片鍔磁心は胴部の他端側に凸部を有し、前記ベース部材は、前記凸部を受ける開口部を有するのが好ましい。
【００２０】
本発明の３軸アンテナにおいては、  前記第１アンテナコイルと、第２アンテナコイルと、第３アンテナコイルと、前記ベース部材とが、前記組立体の端子を除き絶縁樹脂で封止されるのが好ましい。
【００２１】
本発明の３軸アンテナにおいては、前記第３アンテナコイルの自己インダクタンスが、前記１アンテナコイル及び前記第２アンテナコイルよりも大きいことが好ましい。
【図面の簡単な説明】
【００２２】
【図１】本発明の一実施例に係る３軸アンテナを示す外観斜視図である。
【図２】本発明の一実施例に係る３軸アンテナの正面図である。
【図３】本発明の一実施例に係る３軸アンテナの上面図である。
【図４】本発明の一実施例に係る３軸アンテナの下面図である。
【図５】本発明の一実施例に係る３軸アンテナの側面図である。
【図６】本発明の一実施例に係る３軸アンテナのａ−ａ’断面の断面図である。
【図７】本発明の一実施例に係る３軸アンテナに用いる片鍔磁心の外観斜視図である。
【図８】本発明の一実施例に係る３軸アンテナに用いる片鍔磁心の正面図である。
【図９】本発明の一実施例に係る３軸アンテナに用いる片鍔磁心の上面図である。
【図１０】本発明の一実施例に係る３軸アンテナに用いる片鍔磁心の下面図である。
【図１１】本発明の一実施例に係る３軸アンテナに用いる片鍔磁心の側面図である。
【図１２】本発明の一実施例に係る３軸アンテナに用いる他の態様の片鍔磁心の外観斜視図である。
【図１３】本発明の一実施例に係る３軸アンテナに用いる他の態様片鍔磁心の上面図である。
【図１４】本発明の一実施例に係る３軸アンテナに用いる他の態様の片鍔磁心の下面図である。
【図１５】本発明の一実施例に係る３軸アンテナに用いるベース部材の外観斜視図である。
【図１６】本発明の一実施例に係る３軸アンテナに用いるベース部材の正面図である。
【図１７】本発明の一実施例に係る３軸アンテナに用いるベース部材の上面図である。
【図１８】本発明の一実施例に係る３軸アンテナに用いるベース部材の下面図である。
【図１９】本発明の一実施例に係る３軸アンテナに用いるベース部材の側面図である。
【図２０】本発明の一実施例に係る３軸アンテナであって樹脂封止された状態を示す外観斜視図である。
【図２１】３軸アンテナの感度特性の評価方法を説明するための回路ブロック図である。
【図２２】従来の３軸アンテナの一実施態様を示す外観斜視図である。
【図２３】従来の３軸アンテナに用いられる両鍔磁心の一実施態様を示す外観斜視図である。
【図２４】従来の３軸アンテナの他の実施態様を示す外観斜視図である。
【図２５】従来の３軸アンテナの他の実施態様を示す外観斜視図である。
【図２６】図２５に示した従来の３軸アンテナを構成する組立体の構造を示す分解斜視図である。
【発明を実施するための形態】
【００２３】
図１〜図６を基に本発明の３軸アンテナについて説明する。図１は３軸アンテナの一実施態様を示す外観斜視図であり、図２は図１に示した３軸アンテナの正面図であり、図３はその上面図であり、図４はその下面図であり、図５は側面図であり、図６は３軸アンテナのａ−ａ’断面の断面図である。
【００２４】
３軸アンテナ１は、基本的な構成として、胴部と、その一端側に鍔部を有するフェライトコアで形成された片鍔磁心２０と、複数の外部接続端子３１を絶縁樹脂で一体化したベース部材３０と、前記片鍔磁心２０と前記ベース部材３０とに巻回された３つのアンテナコイル１１ａ，１１ｂ，１１ｃを含んでおり、更に図示した態様では、各アンテナコイル１１ａ，１１ｂ，１１ｃと片鍔磁心２０とベース部材３０を絶縁樹脂２００で封止している。樹脂モールドされた３軸アンテナ１は、その表面に他の部品との接続のための端子３１が露出しており、回路基板等に実装可能としている。なお、各図においては、内部の構成が確認し易い様に、樹脂部分を点線で示して内部を透過するか、省略して示している。
【００２５】
前記外部接続端子３１は、アンテナコイルの端部を巻回して絡げる固定部ｓｘ、ｅｘ、ｓｙ、ｅｙ、ｓｚ、ｅｚと連なっている。アンテナコイル１１ａの端部は固定部ｓｘ、ｅｘに絡げられ、アンテナコイル１１ｂの端部は固定部ｓｙ、ｅｙに絡げられ、アンテナコイル１１ｃの端部は固定部ｓｚ、ｅｚに絡げられる。各アンテナコイルの端部は、はんだ付け、溶接等の接続手段で各固定部と接続される。
【００２６】
３軸アンテナ１に用いる片鍔磁心２０の一実施態様を図７〜１１に示す。図７は片鍔磁心の外観斜視図であり、図８は片鍔磁心の正面図であり、図９はその上面図であり、図１０は下面図であり、図１１は側面図である。
【００２７】
片鍔磁心２０は胴部２１とその一端と連なる鍔部２２とを有する。鍔部２２と胴部２１には、それらの外周縁から内側に向かい、胴部２１の外周縁よりも内側に底部を有する溝部２３、２４が４箇所設けられている。対向する２つの溝部２３と他の２つの溝部２４は、それぞれの溝部を結ぶ線分が直交するように配置するのが好ましい。
さらに鍔部２２  には、そのＸ−Ｙ面内で横断し、前記溝部２３間を連結する溝部２５が設けられている。胴部２１の他方端には、その外周縁よりも内側に凸部２６を有する。前記凸部２６は後述するベース部材の位置決めに用いられる。鍔部２２と胴部２１は、前記溝部２３、２４によって、４つの扇状部を有する形態となっている。図１２〜図１４に片鍔磁心２０の他の態様を示す。この片鍔磁心２０では、鍔部２２と胴部２１は溝部２３、２４によって４つの矩形状部を有する形態となっており、胴部２１の厚み方向に垂直な断面にてその面積を大きく形成できる。また胴部２１の厚み方向に見て凸部２６の面積を大きく構成すれば、胴部２１の体積を一層増すことが出来る。このような形態によれば各アンテナコイルのインダクタンスが増加して、受信感度を向上させることが出来る。
【００２８】
３軸アンテナに用いるベース部材の一実施態様を図１５〜１９に示す。図１５はベース部材の外観斜視図であり、図１６はベース部材の正面図であり、図１７はベース部材の上面図であり、図１８は下面図であり、図１９は側面図である。
【００２９】
ベース部材３０は、耐熱性樹脂からなる樹脂部に保持された複数の端子３１を備え、薄板状に形成されている。樹脂部の中央には前記片鍔磁心の凸部２６を受ける開口部３４が設けられ、隅部には矩形状の４つの突出部３５を有する。ベース部材３０の厚み方向に見て、開口部３４は凸部２６と略同じ形状、面積で形成することで、片鍔磁心との位置決めとして機能する。
各突出部３５には端子３１を構成する金属部材がインサートされる。突出部３５の周縁には、アンテナコイルを接続する固定部３２と端子３１が現れる。更に樹脂部にはその外周縁から内側に向かう溝部３３が４箇所設けられている。ベース部材３０の一面側３０ａは実質的に平坦に形成され、前記片鍔磁心２０の胴部２１の端部と当接する。一方、対向する一面３０ｂ側には、対向する２つの溝部３３を連結する溝部３７が設けられている。開口部３４の周囲の樹脂部３６は一面３０ｂ側で厚みが異なり、溝部３７の第１部位３６ａは第２部位３６ｂよりも厚みが薄くなっている。樹脂部は、絶縁性、耐熱性及び成形性を有する樹脂により形成するのが好ましく、具体的にはポリフェニレンサルファイド、液晶ポリマー、ポリエチレンテレフタレート、ポリブチレンテレフタレート等が好ましい。それらの成形には射出成形法を用いることができる。
【００３０】
片鍔磁心２０とベース部材３０とを組み合わせて組立体とする。組立体とするには、片鍔磁心２０の胴部２１に形成された凸部２６を、ベース部材３０に形成された開口部３４に嵌めて接着材で固定する。前記凸部２６はベース部材３０と組み合わせて、ベース部材３０の一面３０ｂ側の第１部位３６ａから突出しない寸法で形成されている。組み合わせる際に、片鍔磁心２０に設けた溝部２５の伸長方向と、ベース部材３０に形成された溝部３７の伸長方向とが同じ方向となるようにする。
このように形成された組立体は、片鍔磁心２０の溝部２３、２４とベース部材３０の溝部３３とが胴部の厚み方向に延びる四つの溝部と、対向配置された片鍔磁心２０の溝部２３を繋ぐ鍔部２２側の溝部２５と、前記溝部２５と対向するベース部材３０側の溝部３７とを有する。
【００３１】
第１アンテナコイル１１ａが、片鍔磁心の胴部の厚み方向に延びる溝部のうちの二つと、それに連なり、対向配置された片鍔磁心２０の溝部２３を繋ぐ鍔部２２側の溝部２５と、前記溝部２５と対向するベース部材３０側の溝部３７とを含む第１巻部に巻回され、端部がべース部材３０の固定部３２に接続される。次いで、第２アンテナコイル１１ｂが、前記組立体の残りの二つの溝部を含む第２巻部に第１アンテナコイル１１ａと交差して巻回され、同様に端部がべース部材３０の固定部３２に接続される。次いで、第３アンテナコイル１１ｃが、前記片鍔磁心２０の胴部２１を含み、片鍔磁心の鍔部２０とベース部材３０との間の第３巻部に、第１アンテナコイル１１ａと第２アンテナコイル１１ｂとに交差して巻回される。端部はべース部材３０の固定部３２に接続される。
【００３２】
第１アンテナコイル１１ａ、第２アンテナコイル１１ｂ、第３アンテナコイル１１ｃの間の干渉を低減するには、各巻軸を直交させるのが望ましい。
【００３３】
また、各アンテナコイルを巻回する毎に、順次その端末導線の固定処理を行うことで、コイルの緩みや、端末の巻き込みが生じるのを防ぐことが出来る。
【００３４】
各アンテナコイル間に生じる寄生容量によって受信感度が損なわれる場合があり、第１溝部と第２溝部の形成深さは、各アンテナコイルを巻き回した後に互いが接触せず、各アンテナコイルが間隔をもって構成可能な深さとしている。第１アンテナコイル１１ａが、ベース部材３０の第１部位３６ａと当接して巻かれ、第２アンテナコイル１１ｂが、ベース部材３０の第２部位３６ｂと当接して巻かれる。このような構成により、べース部材３０は片鍔磁心２０と一体に保持されて脱落することが無い。また、磁心を片鍔磁心２０だけで構成することで、部品点数の削減にもなる。
また片鍔磁心であれば、３軸アンテナの高さを増すことなく、第３巻部の第３アンテナコイル１１ｃを巻き回す胴部  ２１  の高さを両鍔磁心よりも大きく出来る。第３アンテナコイル１１ｃの巻数を増やすことで、アンテナコイルの品質係数Ｑを低下させること無く自己インダクタンスを大きくできる。もって、全方向に受信感度差の少ない３軸アンテナを形成できる。更に図２０に示すように、端子３１を除く部位を耐熱性樹脂で樹脂モールドして封止することで、耐候性に優れた３軸アンテナとなる。
【実施例】
【００３５】
以下、本発明の３軸アンテナの実施形態を詳述するが、基本的な構成は図１〜図２０を用いて前述したものと同じであるので、重複した説明は適宜省略する。
【００３６】
実施例１では、図７に示した片鍔磁心を用いた。この片鍔磁心２０は、鍔部２２と胴部２１が溝部を除き平面視で円形状に形成されており、鍔部２２の外形をφ１２．２８ｍｍ、厚みを０．６ｍｍ、胴部２１の外形をφ１０．２ｍｍ、高さを１．３６ｍｍとしている。片鍔磁心２０と、りん青銅からなる端子３１を液晶ポリマーを用いてインサート成形したベース部材３０との組立体に、第１アンテナコイル１１ａ、第２アンテナコイル１１ｂ、第３アンテナコイル１１ｃを順次敷設し、端部を端子３１と接続した。
【００３７】
また実施例２では、図１２に示した片鍔磁心を用いた。この片鍔磁心２０は、鍔部２２と胴部２１の形状が平面視で矩形となっている。その鍔部２２の外形は、一辺が１１．１２ｍｍ、厚みが０．６ｍｍであり、胴部２１の外形は、一辺が９．２ｍｍ、高さが１．４１ｍｍである。片鍔磁心２０とベース部材３０との組立体に、第１アンテナコイル１１ａ、第２アンテナコイル１１ｂ、第３アンテナコイル１１ｃを順次敷設し、端部を端子３１と接続した。
【００３８】
さらにポリフェニレンサルファイドを用いて樹脂封止を行うことで、それぞれ１２．８ｍｍ×１３．６ｍｍ×３．６ｍｍと１２．２ｍｍ×１３ｍｍ×３．６ｍｍの大きさを有する３軸アンテナとした。なお各実施例における片鍔磁心２０に、初透磁率が５００のＮｉＺｎ系フェライトを用いた。
【００３９】
実施例１、２ついて、各アンテナコイルの自己インダクタンス、品質係数Ｑ、誘導起電力を評価した。その結果と、各アンテナコイルの巻回数を合わせて表１に示す。自己インダクタンス、品質係数Ｑはインピーダンスアナライザを用いて評価し、受信感度については、それに相当する指標として用いられる誘導起電力をオシロスコープで評価している。
【００４０】
図２１に磁界に対する応答として発生する誘導起電力の評価方法を示す。発振器  ５０１  から測定周波数である１２５ｋＨｚの交流信号を発振し、ヘルムホルツコイル  ５０２  にて一様な平行磁場を発生させる。その平行磁場中に測定したい方向のアンテナコイルを垂直に挿入し、誘起された電圧をプローブアンプ  ５０３  で増幅した後、オシロスコープ  ５０４  で観測した。
【００４１】
【表１】
2015220512.tif 000003
【００４２】
本発明の３軸アンテナによれば、構成部品数が少なく、組み立てが容易であって、形状寸法を大きく変えること無く、小型でありながら、各アンテナコイルで大きな誘導起電力が得られた。
【符号の説明】
【００４３】
１  ３軸アンテナ
１１ａ，１１ｂ，１１ｃ  アンテナコイル
２０  片鍔磁心
２１  胴部
２２  鍔部
３０  ベース部材
３１  端子
【図１】
2015220512.tif 000004
【図２】
2015220512.tif 000005
【図３】
2015220512.tif 000006
【図４】
2015220512.tif 000007
【図５】
2015220512.tif 000008
【図６】
2015220512.tif 000009
【図７】
2015220512.tif 000010
【図８】
2015220512.tif 000011
【図９】
2015220512.tif 000012
【図１０】
2015220512.tif 000013
【図１１】
2015220512.tif 000014
【図１２】
2015220512.tif 000015
【図１３】
2015220512.tif 000016
【図１４】
2015220512.tif 000017
【図１５】
2015220512.tif 000018
【図１６】
2015220512.tif 000019
【図１７】
2015220512.tif 000020
【図１８】
2015220512.tif 000021
【図１９】
2015220512.tif 000022
【図２０】
2015220512.tif 000023
【図２１】
2015220512.tif 000024
【図２２】
2015220512.tif 000025
【図２３】
2015220512.tif 000026
【図２４】
2015220512.tif 000027
【図２５】
2015220512.tif 000028
【図２６】
2015220512.tif 000029